(57)【要約】【課題】掘削孔を形成するときに繰り粉排出性能の低下を招くことがないとともに、所定の深さまで掘削孔が形成された後は確実かつ効率的にビット本体を掘削孔から引き抜いて回収することが可能な掘削ビットを提供する。【解決手段】軸線Ｏ回りに回転させられるビット本体１１の先端部に後端部よりも大径のリーミング部１３が形成されていて、このリーミング部１３の先端部に掘削チップ１５が配設されており、リーミング部１３の外周部には軸線Ｏ方向に延びる繰り粉溝１７が形成されるとともに、リーミング部１３の外周部から後端部にかけては繰り粉溝１７に連通する連通溝１８が形成されている。【選択図】図１
2014196655.tif 000002
【特許請求の範囲】
【請求項１】
軸線回りに回転させられるビット本体の先端部にビット本体の後端部よりも大径のリーミング部が形成されていて、このリーミング部の先端部に掘削チップが配設されており、上記リーミング部の外周部には上記軸線方向に延びる繰り粉溝が形成されているとともに、上記リーミング部の外周部からリーミング部の後端部にかけては、上記繰り粉溝に連通する連通溝が形成されていることを特徴とする掘削ビット。
【請求項２】
上記連通溝と上記リーミング部の後端面との交差稜線のうち少なくとも掘削時の上記ビット本体の回転方向後方側に位置する交差稜線は、上記軸線に平行な平面上または上記軸線を含む平面上に位置していることを特徴とする請求項１に記載の掘削ビット。
【請求項３】
上記ビット本体の周方向における上記連通溝の幅が上記繰り粉溝の幅よりも大きいことを特徴とする請求項２に記載の掘削ビット。
【請求項４】
上記リーミング部の外周部には、複数の上記繰り粉溝が周方向に間隔をあけて形成されているとともに、上記連通溝は、周方向に隣接する複数の上記繰り粉溝に連通していることを特徴とする請求項３に記載の掘削ビット。
【請求項５】
上記連通溝は、掘削時の上記ビット本体の回転方向後方側に向かうに従い、上記リーミング部の後端面からの溝深さが漸次深くなることを特徴とする請求項１から請求項４のうちいずれか一項に記載の掘削ビット。
【請求項６】
上記連通溝は、上記軸線に対して傾斜する方向に延びていることを特徴とする請求項１に記載の掘削ビット。
【請求項７】
上記連通溝は、上記軸線方向先端側に向かうに従い、掘削時の上記ビット本体の回転方向に向かうように傾斜していることを特徴とする請求項６に記載の掘削ビット。
【請求項８】
上記連通溝と上記リーミング部の外周面との交差稜線が上記軸線に対する径方向外周側から見て該軸線に対してなす傾斜角が２５°〜７０°の範囲内とされていることを特徴とする請求項６または請求項７に記載の掘削ビット。
【発明の詳細な説明】
【技術分野】
【０００１】
本発明は、軸線回りに回転させられるビット本体の先端部に掘削チップが配設されて岩盤等に掘削孔を形成する掘削ビットに関するものである。
本願は、２０１３年３月５日に出願された特願２０１３−０４３５４９について優先権を主張し、その内容をここに援用する。
【背景技術】
【０００２】
このような掘削ビットによる削孔作業において、所定の深さまで掘削孔が形成された後は、ビット本体を削孔から引き抜いて回収する。ところが、崩壊性の高い岩盤に掘削孔を形成した場合には、掘削孔の孔壁が崩れてビット本体の後端側に土砂が溜まり、ビット本体を掘削孔から抜き出すことができなくなることがある。そこで、このような場合には、例えば特許文献１に記載されているように、ビット本体の後端部に切刃が設けられたリトラックビットが用いられている。
【先行技術文献】
【特許文献】
【０００３】
【特許文献１】特許第４７０９２２６号公報
【発明の概要】
【発明が解決しようとする課題】
【０００４】
ここで、このようなリトラックビットでは一般的に、ビット本体の後端部が円筒状のスカート部とされるとともに、ビット本体の先端部はスカート部の先端側の部分よりも大径のリーミング部とされている。このリーミング部の先端面には岩盤を掘削する掘削チップが配設されているとともに、リーミング部の外周には、掘削孔を形成する際に掘削チップによって破砕された土砂をリーミング部の後方に送り出す繰り粉溝が形成されている。
【０００５】
さらに、スカート部の後端部には、スカート部の先端側の部分よりも外周側に拡径する大径部が形成されている。そして、この大径部には、スカート部の後端面から先端側に凹むように凹部が形成されていて、この凹部とスカート部の後端面との交差稜線部に上記切刃が形成されている。また、大径部の外周には凹部から軸線方向先端側に延びる溝が形成されており、この溝は、スカート部の先端において上記繰り粉溝に連通していて、繰り粉溝を通してリーミング部の後方に送り出された土砂を排出するようにされている。
【０００６】
しかしながら、このようなリトラックビットでは、こうしてスカート部の後端の大径部に溝を形成してはいるものの、スカート部の全体がリーミング部よりも小径とされた通常の掘削ビットと比較すると、大径部によって繰り粉排出性能が低下することが避けらなくなり、掘削孔を形成する際に掘削抵抗の増大を招くおそれがある。また、ビット本体を掘削孔から引き抜くときにも、大径部と孔壁との間に土砂が詰まるおそれがあるとともに、スカート部のうちの大径部とリーミング部との間の部分に土砂が滞留すると、この滞留した土砂を繰り粉溝から効率よく排出するのが困難となって、ビット本体を回収できなくなるおそれがある。
【０００７】
本発明は、このような背景の下になされたもので、掘削孔を形成するときに繰り粉排出性能の低下を招くことがないとともに、所定の深さまで掘削孔が形成された後は確実かつ効率的にビット本体を掘削孔から引き抜いて回収することが可能な掘削ビットを提供することを目的としている。
【課題を解決するための手段】
【０００８】
上記課題を解決して、このような目的を達成するために、本発明は、軸線回りに回転させられるビット本体の先端部にビット本体の後端部よりも大径のリーミング部が形成されていて、このリーミング部の先端部に掘削チップが配設されており、上記リーミング部の外周部には上記軸線方向に延びる繰り粉溝が形成されているとともに、上記リーミング部の外周部からリーミング部の後端部にかけては、上記繰り粉溝に連通する連通溝が形成されていることを特徴とする。
【０００９】
このような掘削ビットでは、ビット本体の後端部は、先端部に形成された大径のリーミング部よりも小径となるため、繰り粉溝を通してリーミング部の後方に送り出された土砂を円滑に排出することができ、繰り粉排出性能が損なわれるのを防いで掘削抵抗の低減を図ることができる。また、ビット本体を掘削孔から引き抜くときに、ビット本体後端部と孔壁との間に土砂が詰まるのも抑えることができる。
【００１０】
そして、リーミング部の外周部から後端部にかけては、上記繰り粉溝に連通する連通溝が形成されているので、掘削孔から引き抜くときにビット本体を後退させると、ビット本体の後端部の外周に溜まった土砂は、この連通溝を介して繰り粉溝に送り込まれる。このため、崩壊性の高い岩盤に掘削孔を形成した場合でも、崩れた土砂を効率的にビット本体の先端側に排出することができ、ビット本体を確実に引き抜いて回収することが可能となる。
【００１１】
ここで、一般的にビット本体の後端部が上述したような円筒状のスカート部である場合には、その内周に形成された雌ネジ部に掘削ロッド先端の雄ネジ部がねじ込まれて掘削時にビット本体が回転させられる。そこで、特にビット本体を掘削孔から引き抜く際にも掘削時の回転方向と同じ方向に回転させながら引き抜くような場合には、上記連通溝と上記リーミング部の後端面との交差稜線のうち少なくとも掘削時の上記ビット本体の回転方向後方側に位置する交差稜線は、上記軸線に平行な平面上または上記軸線を含む平面上に位置していてもよい。ビット本体の回転により、この交差稜線に連なる連通溝の溝壁に沿って土砂を掻き込んで繰り粉溝に案内することができる。
【００１２】
また、このような場合には、ビット本体の周方向における上記連通溝の幅を上記繰り粉溝の幅より大きくすることにより、ビット本体を掘削孔から引き抜いて回収する際に、ビット本体後端部の周りの多くの土砂を連通溝に取り込んで、繰り粉溝に効率的に排出することができる。例えば、上記リーミング部の外周部に、複数の上記繰り粉溝が周方向に間隔をあけて形成されている場合には、上記連通溝を、周方向に隣接する複数の上記繰り粉溝に連通するように形成することにより、連通孔に取り込んだ多くの土砂を複数の繰り粉溝に分散して送り込んで一層効率的に排出することができる。
【００１３】
さらに、上記連通溝は、掘削時の上記ビット本体の回転方向後方側に向かうに従い、上記リーミング部の後端面からの溝深さが漸次深くなるように形成することによっても、ビット本体を掘削時の回転方向に回転させながら引き抜く場合には、溝深さが深い部分に多くの土砂を収容して効率的な排出を促すことができる。
【００１４】
一方、上記連通溝を、上記軸線に対して傾斜する方向に延びるように形成することにより、特にビット本体を回転させずに掘削孔から引き抜くような場合でも、ビット本体の後端部の外周に溜まった土砂は、連通溝の傾斜に案内させられるようにして繰り粉溝に送り込まれる。このため、ビット本体を回転させなくてもビット本体後端部外周に溜まった土砂を効率的に先端側に排出することができ、やはり確実にビット本体を回収することが可能となる。
【００１５】
また、このように連通溝を傾斜させて形成する場合には、該連通溝を、軸線方向先端側に向かうに従い、掘削時のビット本体の回転方向に向かうように傾斜させることにより、上述のようにビット本体を引き抜くときにも掘削時の回転方向に回転させることで、このビット本体の回転によっても連通溝から繰り粉溝に土砂を案内することができ、より一層効率的な土砂の排出を促すことが可能となる。
【００１６】
なお、上述のように連通溝を傾斜させた場合には、その傾斜角、すなわち上記連通溝と上記リーミング部の外周面との交差稜線が上記軸線に対する径方向外周側から見て該軸線に対してなす傾斜角は、２５°〜７０°の範囲内とされるのが望ましい。ビット本体を回転させずに引き抜く場合には、この傾斜角が上記範囲よりも小さいと連通溝が軸線と平行に近くなりすぎる一方、逆に上記範囲よりも大きいと連通溝が軸線に垂直に近くなりすぎて、いずれもビット本体を引き抜くときに土砂を効率的に繰り粉溝に案内して排出することが困難となるおそれが生じる。
【００１７】
ただし、例えば当該掘削ビットが、通常の掘削によって先に形成された掘削孔を拡孔するために用いられるリーミングビットであって、一般的な掘削ビットと比べてリーミング部の外径がビット本体後端部の外径よりも大きく、掘削孔とビット本体後端部との間に滞留する土砂も多くなる場合には、ビット本体を掘削時の回転方向に回転させながら引き抜くことを考慮して、上記傾斜角は２５°未満であってもよく、上述のように連通溝とリーミング部の後端面との交差稜線のうち少なくとも掘削時の上記ビット本体の回転方向後方側に位置する交差稜線が、上記軸線に平行な平面上または上記軸線を含む平面上に位置していてもよい。
【発明の効果】
【００１８】
以上説明したように、本発明によれば、掘削孔を形成する際の繰り粉排出性能を維持して掘削抵抗を低減しつつ、掘削終了後にビット本体を掘削孔から引き抜く際にはビット本体の後端部外周に溜まった土砂を効率的に繰り粉溝から排出することができ、確実にビット本体を回収することが可能となる。
【図面の簡単な説明】
【００１９】
【図１】本発明の第１の実施形態を示す後端外周側から見た斜視図である。
【図２】図１に示す実施形態を後端側から見た背面図である。
【図３】図２における矢線Ｘ方向視の側面図である。
【図４】本発明の第２の実施形態を示す先端外周側から見た斜視図である。
【図５】図４に示す実施形態を後端外周側から見た斜視図である。
【図６】図４に示す実施形態を後端側から見た背面図である。
【図７】図６における矢線Ｘ方向視の側面図（平面図）である。
【図８】図６における矢線Ｙ方向視の側面図（底面図）である。
【図９】本発明の第３の実施形態を示す斜視図である。
【図１０】図９に示す実施形態の正面図である。
【図１１】図１０における矢線Ｘ方向視の側面図である。
【図１２】図９に示す実施形態のビット本体先端部の図１０における矢線Ｙ方向視の側面図である。
【図１３】図９に示す実施形態によって掘削孔を形成する際の側面図である。
【発明を実施するための形態】
【００２０】
図１ないし図３は、本発明の第１の実施形態を示すものである。本実施形態の掘削ビットは、予め形成された小径の掘削孔に挿通されて、この掘削孔を大径に拡孔するリーミングビットと称されるものである。本実施形態において、ビット本体１１は、鋼材等の金属材料により一体に形成されて軸線Ｏを中心とした概略有底の多段円筒状をなしている。
【００２１】
このビット本体１１の後端部（図１において右下側部分、図３において左側部分）は一定外径の円筒状のスカート部１２とされるとともに、このスカート部１２の先端側（図１において左上側、図３において右側）にはスカート部１２よりも外径が大径のリーミング部１３が形成されている。さらに、このリーミング部１３の先端側には、スカート部１２よりも小径のパイロット部１４がビット本体１１の軸線Ｏに沿って突出するように形成されている。
【００２２】
本実施形態において、リーミング部１３の先端面１３Ａは、全体が外周側に向かうに従い後端側に向けて傾斜する軸線Ｏを中心とした円錐台面状とされている。パイロット部１４は、この先端面１３Ａの中央に一体に形成され、先端面１３Ａに連なる一定外径の軸線Ｏを中心とした小径部１４Ａと、この小径部１４Ａの先端に形成された小径部１４Ａより僅かに大径の大径部１４Ｂとを備えた多段円柱状に形成されている。この大径部１４Ｂの外径は、スカート部１２の外径よりも小さく、予め形成された小径の掘削孔に挿入可能な大きさとされている。
【００２３】
また、リーミング部１３の先端面１３Ａには、ビット本体１１よりも硬質の超硬合金等よりなる掘削チップ１５がそれぞれ複数ずつ配設されている。本実施形態における掘削チップ１５は、円柱状の後端部とこの後端部の中心線上に中心を有する凸球面状の先端部とが一体に形成されたボタンチップであり、上記先端面１３Ａに形成された円形孔に上記後端部が焼き嵌めや圧入、ロウ付けされることにより、それぞれ上記中心線を先端面１３Ａに垂直として先端部を先端面１３Ａから突出させて植設されている。
【００２４】
一方、スカート部２の内周面には雌ネジ部が形成されており、この雌ネジ部に、図示されない掘削ロッドの先端の雄ネジ部が螺合させられる。ビット本体１１は、この掘削ロッドを介して削岩機から伝播される軸線Ｏ方向先端側への推力および打撃力と、掘削時の回転方向Ｔへの軸線Ｏ回りの回転力とにより、上記掘削チップ１５によって岩盤を破砕して掘削し、予め形成された小径の掘削孔を拡孔してゆく。雌ネジ部への雄ネジ部のねじ込み方向は掘削時のビット本体１１の回転方向Ｔと同じであり、掘削時の回転力によって雌雄ネジ部が緩むことがないように設定されている。
【００２５】
さらに、スカート部１２の内周部の底面からリーミング部１３内にはブロー孔１６が先端側に向けて延びており、このブロー孔１６はリーミング部１３の先端面１３Ａにおいて例えば軸線Ｏに対する径方向に間隔をあけた複数箇所に開口させられている。先端面１３Ａに植設される複数の掘削チップ１５は、これらのブロー孔１６を避けるようにして、互いの軸線Ｏ回りの回転軌跡が軸線Ｏから僅かに外周側に離れた位置から先端面１３Ａの外周縁まで連続するように植設されている。
【００２６】
リーミング部１３の外周面１３Ｂは、先端面１３Ａが軸線Ｏに対してなす傾斜よりも緩やかな傾斜で、後端側に向かうに従い内周側に向けて傾斜する軸線Ｏを中心とした円錐台面状とされている。また、リーミング部１３の後端面１３Ｃは、この外周面１３Ｂの傾斜よりも急勾配で、例えば先端面１３Ａの傾斜と略等しい傾斜で、後端側に向かうに従い内周側に向けて傾斜する軸線Ｏを中心とした円錐台面状とされ、その後端で断面凹曲線状をなしてスカート部１２の外周面に連なっている。
【００２７】
さらに、リーミング部１３の外周面１３Ｂには、先端面１３Ａからリーミング部１３の後端面１３Ｃに亙って軸線Ｏ方向に延びる複数条（本実施形態では９条）の繰り粉溝１７が形成されている。本実施形態における繰り粉溝１７は、その底面が軸線Ｏ方向に延びる中心線を有する凹円筒面等の凹曲面状をなしており、同形同大のこのような繰り粉溝６が周方向に等間隔に形成されている。
【００２８】
そして、リーミング部１３の外周面１３Ｂから後端面１３Ｃにかけては、上記繰り粉溝１７に連通する連通溝１８が形成されている。ここで、本実施形態の連通溝１８は、図２の右側に示す連通溝１８のようにリーミング部１３の後端面１３Ｃとの交差稜線Ｍ、Ｎのうち、掘削時のビット本体１１の回転方向Ｔの後方側に位置する交差稜線Ｍが、軸線Ｏに平行な平面Ｑ上に位置している。なお、この交差稜線Ｍは、後述する第２の実施形態のように軸線Ｏを含む平面上に位置していてもよい。
【００２９】
また、本実施形態の連通溝１８は、その周方向の幅が、繰り粉溝１７の周方向の幅よりも大きくされている。特に、本実施形態の連通溝１８は、周方向に間隔をあけてリーミング部１３の外周部に形成された複数の繰り粉溝１７のうち、さらに周方向に隣接した複数の繰り粉溝１７に連通している。
【００３０】
具体的に、本実施形態では、上述のようにリーミング部１３の外周部に９条の繰り粉溝１７が周方向に等間隔に形成されているのに対して、連通溝１８は、周方向に隣接する２条ずつの繰り粉溝１７にそれぞれ連通する３条の連通溝１８が周方向に等間隔に形成されている。なお、これらの連通溝１８の間には、連通溝１８が連通していない繰り粉溝１７が合計３条形成されている。
【００３１】
さらに、上記交差稜線Ｍは、連通溝１８が連通した２条の繰り粉溝１７のうちの回転方向Ｔ後方側の繰り粉溝１７とリーミング部１３の外周面１３Ｂとの交差稜線のうち、回転方向Ｔ後方側の交差稜線に略連なっている。なお、この交差稜線Ｍに連なる連通溝１８の回転方向Ｔを向く壁面はビット本体１１の内周側に向かうに従い回転方向Ｔ側に延びる凹曲面状をなしている。
【００３２】
また、ビット本体１１の外周側を向く連通溝１８の底面も凹曲面状に形成されている。さらに、連通溝１８が連通する２条の繰り粉溝１７の間に残されるリーミング部１３の外周面１３Ｂの軸線Ｏ方向の幅は、他の繰り粉溝１７の間の外周面１３Ｂの軸線Ｏ方向の幅よりも小さくされている。また、回転方向Ｔ側の連通溝１８とリーミング部１３の後端面１３Ｃとの交差稜線Ｎは、回転方向Ｔ側に向かうに従い凸曲線を描いてビット本体１１の先端側に切れ上がり、連通溝１８が連通した２条の繰り粉溝１７のうちの回転方向Ｔ側の繰り粉溝１７とリーミング部１３の後端面１３Ｃとの交差稜線に交差している。
【００３３】
このような構成の掘削ビット（リーミングビット）は、上述のように軸線Ｏ方向先端側に向けての推力および打撃力と回転方向Ｔへの回転力とが与えられることにより、予め形成された小径の掘削孔の周りの岩盤が、リーミング部１３の先端面１３Ａに配設された掘削チップ１５によって破砕されて土砂となり、掘削孔を拡孔する。この土砂は、掘削時に掘削ロッドからブロー孔１６に供給されて噴出する圧縮空気により、繰り粉溝１７を通してスカート部１２の外周に押し出され、ビット本体１１の後端側に排出させられる。さらに、掘削時には、パイロット部１４が小径の掘削孔に挿入されることによってビット本体１１を案内する。
【００３４】
このとき、上記構成の掘削ビットにおいては、従来のリトラックビットのようにビット本体の後端部に切刃を設けるための大径部を形成する必要がない。特に本実施形態では、ビット本体１１の後端部が一定外径のスカート部１２とされているので、繰り粉溝１７から後端側に送り出された土砂を、このような大径部によって詰まりを生じることなくビット本体１１の後端側に排出することができる。従って、繰り粉排出性能が損なわれるのを防いで、掘削抵抗の少ない効率的な掘削孔の形成を図ることができる。
【００３５】
そして、所定の深さまで掘削孔が拡孔された後にビット本体１１を回収するときには、特にビット本体１１を掘削時の回転方向Ｔと同じ方向に回転しつつ軸線Ｏ方向後端側に引き抜くことにより、スカート部１２と掘削孔との間に残存する土砂を連通溝１８から繰り粉溝１７を通してリーミング部１３の先端側に排出することができる。従って、上記構成の掘削ビットによれば、確実にビット本体１１を掘削孔から回収することができる。
【００３６】
また、本実施形態のリーミングビットのように、小径の掘削孔を大径に拡孔する掘削ビットでは、スカート部１２とこれよりも大径のリーミング部１３との外径差や外径比が大きくなる。このため、リーミング部１３の後端面１３Ｃとの交差稜線Ｍ、Ｎを長く確保することができ、これらの交差稜線Ｍ、Ｎの少なくとも一方が軸線Ｏに平行な平面Ｑ上または軸線Ｏを含む平面上に位置していても、確実に土砂を連通溝１８に掻き込んで繰り粉溝１７に送り出すことができる。
【００３７】
さらに、本実施形態では、連通溝１８の周方向の幅が個々の繰り粉溝１７の周方向の幅よりも大きいので、多くの土砂を連通溝１８に取り込んで繰り粉溝１７に送り込み、効率的に排出することができる。さらにまた、本実施形態では、複数条の繰り粉溝１７のうち周方向に隣接する２条ずつの繰り粉溝１７に１条の連通溝１８が連通しているので、こうして連通溝１８に取り込んだ多くの土砂を、これらの繰り粉溝１７に分散して一層効率的に排出することができ、上述のように一部の繰り粉溝１７に連通溝１８が連通していなくても、ビット本体１１を確実に回収することができる。ただし、すべての繰り粉溝１７に連通溝１８が連通するように形成されていてもよい。
【００３８】
さらにまた、本実施形態において連通溝１８は、リーミング部１３の後端面１３Ｃからの溝深さが、掘削時のビット本体１１の回転方向Ｔ後方側に向かうに従い漸次深くなるように形成されている。このため、特にビット本体１１を掘削時の回転方向Ｔに回転させながら引き抜くことにより、溝深さが深い連通溝１８の回転方向Ｔ後方側の部分に多くの土砂を収容して一層効率的な排出を促すことができる。
【００３９】
なお、本実施形態におけるパイロット部１４は、大径部１４Ｂの軸線Ｏ方向の幅が小径部１４Ａよりも大きい。このため、小径の掘削孔を拡孔するときに、安定してビット本体１１を案内できるという利点も得られる。
【００４０】
次に、図４ないし図８は、本発明の第２の実施形態を示すものである。この第２の実施形態の掘削ビットも、第１の実施形態と同様に予め形成された小径の掘削孔を拡孔するリーミングビットであり、第１の実施形態と共通する部分には同一の符号を配してある。
【００４１】
本実施形態では、リーミング部１３の外周部に形成された複数条（９条）の繰り粉溝１７のそれぞれに１条ずつの連通溝１８が連通するように形成されており、これらの連通溝１８同士も周方向に等間隔をあけて形成されている。また、本実施形態の連通溝１８は、図６の左側に示す連通溝１８のように、リーミング部１３の後端面１３Ｃとの交差稜線Ｍ、Ｎのうち、掘削時のビット本体１１の回転方向Ｔの後方側に位置する交差稜線Ｍは軸線Ｏを含む平面Ｐ上に位置している。
【００４２】
さらに、本実施形態の連通溝１８も、その周方向の幅が、繰り粉溝１７の周方向の幅よりも大きくされている。具体的に、本実施形態における連通溝１８は、図６に示すように上記交差稜線Ｍ、Ｎが、繰り粉溝１７とリーミング部１３の外周面１３Ｂとの交差稜線よりも周方向のそれぞれ外側に位置するように形成されている。なお、回転方向Ｔ側の交差稜線Ｎは、図６に示すように軸線Ｏに平行な平面上に位置していてもよく、第１の実施形態のように回転方向Ｔ側に向かうに従い凸曲線を描いてビット本体１１の先端側に切れ上がっていてもよい。
【００４３】
ただし、周方向のうち上記回転方向Ｔの後方側では、上記交差稜線Ｍが繰り粉溝１７とリーミング部１３の外周面１３Ｂとの交差稜線の僅かに回転方向Ｔ後方側に位置しているのに対し、回転方向Ｔ側では、この回転方向Ｔ側の連通溝１８とリーミング部１３の後端面１３Ｃとの交差稜線Ｎが、上記交差稜線Ｍと繰り粉溝１７との間隔よりも大きく回転方向Ｔ側に位置するように形成されている。
【００４４】
さらに、本実施形態でも、連通溝１８はリーミング部１３の後端面１３Ｃからの溝深さが掘削時の回転方向Ｔ後方側に向かうに従い漸次深くなり、この回転方向Ｔの後方で外周側に切れ上がって上記交差稜線Ｍに達するように形成されている。交差稜線Ｍ、Ｎの軸線Ｏ方向の後端を結ぶ連通溝１８とリーミング部１３の後端面１３Ｃとの交差稜線は、回転方向Ｔの後方側に向かうに従い軸線Ｏ方向後端側に向けて延びている。
【００４５】
このような第２の実施形態の掘削ビット（リーミングビット）でも、所定の深さまで掘削孔が拡孔した後は、第１の実施形態と同様に特にビット本体１１を掘削時の回転方向Ｔと同じ方向に回転しつつ軸線Ｏ方向後端側に引き抜くことにより、スカート部１２と掘削孔との間に残存した土砂を連通溝１８から繰り粉溝１７を通してリーミング部１３の先端側に排出することができる。また、本実施形態においては、すべての繰り粉溝１７ごとにそれぞれ１条の連通溝１８が連通しているので、繰り粉溝１７に土砂の詰まりが生じるようなことも少ない。
【００４６】
また、本実施形態でも、連通溝１８の周方向の幅が繰り粉溝１７の周方向の幅よりも大きいので、多くの土砂を連通溝１８に取り込んで繰り粉溝１７に送り込み、排出することができる。特に、本実施形態では、連通溝１８とリーミング部１３の後端面１３Ｃとの回転方向Ｔとその後方側の両方の交差稜線Ｍ、Ｎが、繰り粉溝１７の周方向の両外側に位置しているので、連通溝１８に取り込んだ土砂を満遍なく繰り粉溝１７に送り込むことができる。
【００４７】
さらに、本実施形態でも、連通溝１８のリーミング部１３の後端面１３Ｃからの溝深さが、掘削時のビット本体１１の回転方向Ｔ後方側に向かうに従い漸次深くなるので、ビット本体１１を掘削時の回転方向Ｔに回転させながら引き抜くことにより、溝深さが深い回転方向Ｔ後方側の部分に多くの土砂を収容して効率的な排出を促すことができる。このとき、上述のように繰り粉溝１７よりも幅広とされた連通溝１８は、回転方向Ｔ後方側の上記交差稜線Ｍと繰り粉溝１７との周方向の間隔が、回転方向Ｔ側の上記交差稜線Ｎと繰り粉溝１７との間隔よりも小さいので、こうして回転方向Ｔ後方側に収容された土砂を連通溝１８内に残すことなく排出することができる。
【００４８】
次に、図９ないし図１３は本発明の第３の実施形態を示すものであり、図５はこの実施形態によって岩盤Ｇに掘削孔Ｈを形成する場合を示すものである。本実施形態の掘削ビットは、第１、第２の実施形態のように予め形成された小径の掘削孔を拡孔するリーミングビットではなく、専ら予め掘削孔が形成されていない岩盤に掘削孔を形成するのに用いられるものである。
【００４９】
本実施形態においても、ビット本体１は、鋼材等の金属材料により一体に形成されて軸線Ｏを中心とした概略有底の多段円筒状をなしている。このビット本体１の後端部（図９において左上側部分、図１１および図１３において左側部分）は一定外径の円筒状のスカート部２とされるとともに、有底の底部とされるビット本体１の先端部（図１において右下側部分、図３および図５において右側部分）はスカート部２よりも外径が大径とされたリーミング部３とされ、ただしこれらスカート部２とリーミング部３との外径差や外径比は第１、第２の実施形態よりも小さい。また、ビット本体１の先端にパイロット部は形成されていない。
【００５０】
リーミング部３の先端部外周には、外周側に向かうに従い後端側に向けて傾斜する軸線Ｏを中心とした円錐台面状のゲージ面３Ａが形成されるとともに、このゲージ面３Ａの内周側には、軸線Ｏを中心とした円形をなして軸線Ｏに垂直に先端側を向くフェイス面３Ｂが形成されている。また、ゲージ面３Ａの後端側に連なるリーミング部３の外周面３Ｃは後端側に向かうに従い内周側に向けて傾斜する軸線Ｏを中心とした円錐台面状とされ、ただしその軸線Ｏに対する傾斜はゲージ面３Ａの傾斜よりも緩やかとされている。さらに、この円錐台面状の外周面３Ｃよりも後端側のリーミング部３の後端面３Ｄは、例えば軸線Ｏに沿った断面において凹曲線をなしてスカート部２の外周面に接するように形成されている。
【００５１】
リーミング部３の上記ゲージ面３Ａとフェイス面３Ｂには、本実施形態においても掘削チップ４としてボタンチップが、その中心線をゲージ面３Ａおよびフェイス面３Ｂに垂直にして植設され、先端部をゲージ面３Ａおよびフェイス面３Ｂから突出させてそれぞれ複数ずつ配設されている。また、ブロー孔５は、フェイス面３Ｂにおいて軸線Ｏに対する直径方向に該軸線Ｏから等間隔をあけた２箇所に開口させられており、フェイス面３Ｂに植設される複数の掘削チップ（フェイスチップ）４は、このブロー孔５を避けるようにして互いの軸線Ｏ回りの回転軌跡が軸線Ｏから僅かに外周側に離れた位置からフェイス面３Ｂの外周縁まで連続するように植設されている。
【００５２】
さらに、リーミング部３の外周部には、第１、第２の実施形態と同様に底面が凹曲面状をなす繰り粉溝６が周方向に等間隔に複数条（本実施形態では８条）形成されている。なお、ビット本体１の軸線Ｏを中心として繰り粉溝６の底面に内接する円の直径は、円形をなすフェイス面３Ｂの直径よりは大きく、スカート部２の外径と略等しくされている。また、ゲージ面３Ａに植設される掘削チップ（ゲージチップ）４は、これらの繰り粉溝６のゲージ面３Ａへの開口部の間に等間隔に配設されるとともに、フェイス面３Ｂの外周縁に植設される掘削チップ４は周方向に１つおきの繰り粉溝６の開口部の内周側に配設されている。
【００５３】
さらに、リーミング部３の外周部から後端部にかけては、該リーミング部３の後端面３Ｄに開口して上記繰り粉溝６に連通する連通溝７が形成されている。そして、本実施形態における連通溝７は、軸線Ｏに対して傾斜する方向に延びている。本実施形態においても第２の実施形態と同様に複数条の繰り粉溝６にそれぞれ連通するように各繰り粉溝６ごとに１つずつ同形同大の連通溝７が形成され、各連通溝７は、連通した繰り粉溝６以外の繰り粉溝６や他の連通溝７とは連通しないように間隔をあけて形成されている。
【００５４】
また、各連通溝７は、連通する繰り粉溝６の回転方向Ｔ後方側かつ軸線Ｏ方向後端側の位置から、軸線Ｏ方向先端側に向かうに従い回転方向Ｔに向かうように、軸線Ｏに対する径方向外周側から見て軸線Ｏに対して傾斜して延びており、ただしゲージ面３Ａにまでは至らずに、軸線Ｏ方向において外周面３Ｃの略中央で切れ上がっている。この連通溝７とリーミング部３の外周面３Ｃとの交差稜線Ｌが軸線Ｏに対する径方向外周側から見て該軸線Ｏに対してなす傾斜角θは２５°〜７０°の範囲内とされるのが望ましく、本実施形態では３０°とされている。
【００５５】
なお、連通溝７の外周面３Ｃからの溝深さは、繰り粉溝６の外周面３Ｃからの溝深さよりは浅くされている。また、連通溝７が外周面３Ｃに切れ上がる部分は、上記交差稜線Ｌに沿った方向から見て凹円弧等の凹曲面状をなしており、軸線Ｏ方向先端側に向かうに従い回転方向Ｔに向けて延びる回転方向Ｔを向いた壁面が交差稜線Ｌに沿って形成されている。さらに、連通溝７のビット本体１外周側を向く底面は、軸線Ｏに平行な中心線を有する凸円筒面等の凸曲面状、または該凸円筒面に接する平面状とされている。
【００５６】
図１３に示すように、このような第３の実施形態の掘削ビットによって岩盤Ｇに掘削孔Ｈを形成する際に、掘削ロッドＲを介してビット本体１に軸線Ｏ方向先端側に向けての推力および打撃力と回転方向Ｔへの回転力とを与えると、ビット本体１先端のゲージ面３Ａとフェイス面３Ｂに植設された掘削チップ４によって岩盤Ｇが破砕されて土砂となる。この土砂は、掘削時に掘削ロッドＲからブロー孔５に供給されてフェイス面３Ｂから噴出する圧縮空気により、繰り粉溝６を通してスカート部２の外周に押し出され、さらにビット本体１の後端側に排出させられる。
【００５７】
そして、このように所定の深さまで掘削孔Ｈを形成した後に、掘削ロッドＲごとビット本体１を掘削孔Ｈから引き抜いて回収する際、たとえ岩盤Ｇが崩壊性の高いものであって、図１３に示したように崩壊した土砂Ｃがビット本体１後端部のスカート部２と掘削孔Ｈの孔壁Ｗとの間に滞留していても、上記構成の掘削ビットにおいては、リーミング部３の外周部から後端部にかけて、後端面３Ｄに開口して繰り粉溝６に連通する連通溝７が形成されているので、ビット本体１が後退するのに伴い土砂Ｃは連通溝７から繰り粉溝６に送り込まれる。
【００５８】
特に、この第３の実施形態では、上記連通溝７が、軸線Ｏに対して傾斜する方向に延びつつ繰り粉溝６に連通している。このため、ビット本体１を軸線Ｏに沿って真っ直ぐ引き抜くだけでも、土砂Ｃは、連通溝７の上記交差稜線Ｌに連なる壁面に沿って案内されるようにして繰り粉溝６に送り込まれ、ビット本体１の先端側に排出させられる。従って、本実施形態においても、効率的に土砂Ｃを排出することができる。
【００５９】
さらに、本実施形態では、上記連通溝７は、ビット本体１の軸線Ｏ方向先端側に向かうに従い、掘削時のビット本体１の回転方向Ｔ向かうように傾斜して繰り粉溝６に連通している。従って、ビット本体１を掘削孔Ｈから引き抜く際に、雌雄ネジ部が緩まないように掘削時と同じ回転方向Ｔにビット本体１を回転しつつ後退させると、連通溝７に送り込まれた土砂Ｃはビット本体１の回転に伴い先端側に押し出されながら繰り粉溝６を介してビット本体１の先端側に排出させられるので、一層効率的な土砂Ｃの排出を促して確実なビット本体１の回収を図ることができる。
【００６０】
さらにまた、本実施形態では、連通溝７は軸線Ｏ方向にリーミング部３の略中央で切れ上がって交差稜線Ｌにおいて外周面３Ｃに交差しており、この交差稜線Ｌも軸線Ｏ方向先端側に向かうに従い掘削時のビット本体１の回転方向Ｔに向けて傾斜することになる。従って、ビット本体１を引き抜く際には、この交差稜線Ｌを切刃としてリーミング部３の外周に崩壊した土砂も連通溝７に掻き込み、繰り粉溝６を通して先端側に排出することができるので、リーミング部３と掘削孔Ｈの孔壁Ｗとの間のクリアランスを確保して一層円滑なビット本体１の回収を図ることができる。
【００６１】
その一方で、こうして連通溝７がリーミング部３の軸線Ｏ方向略中央で切れ上がっていることにより、リーミング部３の先端部では周方向に隣接する繰り粉溝６の間に十分な肉厚を確保することができ、この部分のゲージ面３Ａに植設される掘削チップ４の保持強度が損なわれたりすることはない。また、ビット本体１において最大外径となるリーミング部３のゲージ面３Ａと外周面３Ｃとの交差稜線部にも十分な周長を確保することができるので、掘削孔Ｈを形成する際の穴曲がりも抑制することができる。
【００６２】
さらに、本実施形態では、連通溝７とリーミング部３の外周面３Ｃとの上記交差稜線Ｌが軸線Ｏに対する径方向外周側から見て該軸線Ｏに対してなす傾斜角θが、２５°〜７０°の範囲内とされており、これによってもビット本体１を引き抜く際に土砂Ｃを効率的に排出することが可能となる。すなわち、傾斜角θが上記範囲よりも小さいと連通溝７の壁面が軸線Ｏに平行に近くなりすぎ、また逆に傾斜角θが上記範囲よりも大きいと連通溝７の壁面が軸線Ｏに垂直に近くなりすぎ、いずれの場合にも例えばビット本体１を軸線Ｏに沿って後退させた際には土砂Ｃを連通溝７に沿って効率的に繰り粉溝６に送り込むことが困難となるおそれが生じる。
【００６３】
なお、上記第１ないし第３の実施形態では、ビット本体１、１１後端部のスカート部２、１２が軸線Ｏを中心とした一定外径の円筒状とされているが、ビット本体１、１１先端部のリーミング部３、１３よりも十分小径であって、土砂の排出を妨げたり詰まりを生じたりすることがなければ、スカート部２、１２の外周に大径となる部分が形成されていてもよい。
【００６４】
以上、本発明の好ましい実施形態を説明したが、本発明は上記の実施形態に限定されることはない。本発明の趣旨を逸脱しない範囲で、構成の付加、省略、置換、およびその他の変更が可能である。本発明は、上述した説明によって限定されることはなく、添付の特許請求の範囲によってのみ限定される。
【産業上の利用可能性】
【００６５】
本発明は、軸線回りに回転させられるビット本体の先端部に掘削チップが配設されて岩盤等に掘削孔を形成する掘削ビットに関する。本発明の掘削ビットによれば、軸線回りに回転させられるビット本体の先端部にビット本体の後端部よりも大径のリーミング部が形成されていて、このリーミング部の先端部に掘削チップが配設されており、上記リーミング部の外周部には上記軸線方向に延びる繰り粉溝が形成されているとともに、上記リーミング部の外周部からリーミング部の後端部にかけては、上記繰り粉溝に連通する連通溝が形成されていることにより、掘削孔を形成する際の繰り粉排出性能を維持して掘削抵抗を低減しつつ、掘削終了後にビット本体を掘削孔から引き抜く際にはビット本体の後端部外周に溜まった土砂を効率的に繰り粉溝から排出することができ、確実にビット本体を回収することが可能となる。
【符号の説明】
【００６６】
１、１１  ビット本体
２、１２  スカート部
３、１３  リーミング部
３Ａ  ゲージ面
３Ｂ  フェイス面
３Ｃ、１３Ｂ  リーミング部３、１３の外周面
３Ｄ、１３Ｃ  リーミング部３、１３の後端面
４、１５  掘削チップ
５、１６  ブロー孔
６、１７  繰り粉溝
７、１８  連通溝
１３Ａ  リーミング部１３の先端面
１４  パイロット部
Ｏ  ビット本体１、１１の軸線
Ｐ  軸線Ｏを含む平面
Ｔ  掘削時のビット本体１、１１の回転方向
Ｌ  連通溝７とリーミング部３の外周面３Ｃとの交差稜線
Ｍ  回転方向Ｔ後方側の連通溝１８とリーミング部１３の後端面１３Ｃとの交差稜線
Ｎ  回転方向Ｔ側の連通溝１８とリーミング部１３の後端面１３Ｃとの交差稜線
θ  交差稜線Ｌが軸線Ｏに対する径方向外周側から見て軸線Ｏに対してなす傾斜角
【図１】
2014196655.tif 000003
【図２】
2014196655.tif 000004
【図３】
2014196655.tif 000005
【図４】
2014196655.tif 000006
【図５】
2014196655.tif 000007
【図６】
2014196655.tif 000008
【図７】
2014196655.tif 000009
【図８】
2014196655.tif 000010
【図９】
2014196655.tif 000011
【図１０】
2014196655.tif 000012
【図１１】
2014196655.tif 000013
【図１２】
2014196655.tif 000014
【図１３】
2014196655.tif 000015
【手続補正書】
【提出日】平成26年6月17日(2014.6.17)
【手続補正１】
【補正対象書類名】明細書
【補正対象項目名】０００２
【補正方法】変更
【補正の内容】
【０００２】
このような掘削ビットによる削孔作業において、所定の深さまで掘削孔が形成された後は、ビット本体を掘削孔から引き抜いて回収する。ところが、崩壊性の高い岩盤に掘削孔を形成した場合には、掘削孔の孔壁が崩れてビット本体の後端側に土砂が溜まり、ビット本体を掘削孔から抜き出すことができなくなることがある。そこで、このような場合には、例えば特許文献１に記載されているように、ビット本体の後端部に切刃が設けられたリトラックビットが用いられている。
【手続補正２】
【補正対象書類名】明細書
【補正対象項目名】００２４
【補正方法】変更
【補正の内容】
【００２４】
一方、スカート部１２の内周面には雌ネジ部が形成されており、この雌ネジ部に、図示されない掘削ロッドの先端の雄ネジ部が螺合させられる。ビット本体１１は、この掘削ロッドを介して削岩機から伝播される軸線Ｏ方向先端側への推力および打撃力と、掘削時の回転方向Ｔへの軸線Ｏ回りの回転力とにより、上記掘削チップ１５によって岩盤を破砕して掘削し、予め形成された小径の掘削孔を拡孔してゆく。雌ネジ部への雄ネジ部のねじ込み方向は掘削時のビット本体１１の回転方向Ｔと同じであり、掘削時の回転力によって雌雄ネジ部が緩むことがないように設定されている。
【手続補正３】
【補正対象書類名】明細書
【補正対象項目名】００２７
【補正方法】変更
【補正の内容】
【００２７】
さらに、リーミング部１３の外周面１３Ｂには、先端面１３Ａからリーミング部１３の後端面１３Ｃに亙って軸線Ｏ方向に延びる複数条（本実施形態では９条）の繰り粉溝１７が形成されている。本実施形態における繰り粉溝１７は、その底面が軸線Ｏ方向に延びる中心線を有する凹円筒面等の凹曲面状をなしており、同形同大のこのような繰り粉溝１７が周方向に等間隔に形成されている。
【手続補正４】
【補正対象書類名】明細書
【補正対象項目名】００４８
【補正方法】変更
【補正の内容】
【００４８】
次に、図９ないし図１３は本発明の第３の実施形態を示すものであり、このうち図１３はこの実施形態によって岩盤Ｇに掘削孔Ｈを形成する場合を示すものである。本実施形態の掘削ビットは、第１、第２の実施形態のように予め形成された小径の掘削孔を拡孔するリーミングビットではなく、専ら予め掘削孔が形成されていない岩盤に掘削孔を形成するのに用いられるものである。
【手続補正５】
【補正対象書類名】明細書
【補正対象項目名】００４９
【補正方法】変更
【補正の内容】
【００４９】
本実施形態においても、ビット本体１は、鋼材等の金属材料により一体に形成されて軸線Ｏを中心とした概略有底の多段円筒状をなしている。このビット本体１の後端部（図９において左上側部分、図１１および図１３において左側部分）は一定外径の円筒状のスカート部２とされるとともに、有底の底部とされるビット本体１の先端部（図９において右下側部分、図１１および図１３において右側部分）はスカート部２よりも外径が大径とされたリーミング部３とされ、ただしこれらスカート部２とリーミング部３との外径差や外径比は第１、第２の実施形態よりも小さい。また、ビット本体１の先端にパイロット部は形成されていない。